(57)【要約】【課題】  レジに並ばなくても店頭に陳列された商品をその場で購入することが可能な即時購買システム、ユーザ端末、商品情報管理サーバ、即時購買方法、及びプログラムを提供する。【解決手段】  本発明の即時購買システム１では、商品を一意に識別する商品ＩＤ１１が商品に付され、商品データベース８０（商品情報管理サーバ３）に登録される。購入者がユーザ端末７で商品に付された商品ＩＤ１１（ＱＲコード（登録商標）１３）を読み取り、購入する旨を入力すると、ユーザ端末７は決済サーバ５にアクセスし当該商品についての決済処理を行う。決済サーバ５は、決済を行った商品が「購入済み」である旨を商品情報管理サーバ３に通知すると、商品データベース８０の該当する商品ＩＤが「購入済み」であることが記録される。【選択図】図１
2020021419.tif 000002
【特許請求の範囲】
【請求項１】
個々の商品の情報を管理する商品情報管理サーバと、各店舗にて販売する商品の価格情報を管理する店舗情報管理サーバと、決済を行う決済サーバと、利用者が所持するユーザ端末とが通信接続された即時購買システムであって、
前記商品には、個々の商品を一意に識別する商品ＩＤが付され、
前記ユーザ端末は、
店舗を特定する店舗特定手段と、
前記商品に付された商品ＩＤを読み取るコード読取手段と、
読み取った商品ＩＤが付された商品の価格情報を前記商品情報管理サーバに問い合わせ、取得する問い合わせ手段と、
前記商品の購入依頼を入力する入力手段と、
前記問い合わせ手段により取得した価格情報に基づき、前記入力手段により購入依頼を入力した商品の決済を行う決済手段と、を備え、
前記商品情報管理サーバは、
各商品に関する情報を商品ＩＤに対応付けて記憶する商品情報記憶手段と、
前記ユーザ端末からの問い合わせに応答して前記店舗情報管理サーバから商品の価格情報を取得し該ユーザ端末に送信する価格情報送信手段と、を備え、
前記店舗情報管理サーバは、
各店舗にて販売する商品の価格情報を記憶する価格情報記憶手段と、
前記商品情報管理サーバからの要求に応答して商品の価格情報を前記価格情報記憶手段から読み出し、送信する送信手段と、を備え、
前記決済サーバは、
前記ユーザ端末において購入依頼が入力された商品の決済処理を行う決済処理手段、
を備えることを特徴とする即時購買システム。
【請求項２】
前記商品ＩＤは、ＧＴＩＮコードと管理番号とを組み合わせた情報であることを特徴とする請求項１に記載の即時購買システム。
【請求項３】
前記商品ＩＤは、ＳＧＴＩＮコードであることを特徴とする請求項１から請求項１のいずれかに記載の即時購買システム。
【請求項４】
前記商品の包装に前記商品ＩＤを示すコードが印刷されていることを特徴とする請求項１から請求項３のいずれかに記載の即時購買システム。
【請求項５】
前記商品に貼付するラベルに前記商品ＩＤを示すコードが印刷されていることを特徴とする請求項１から請求項３のいずれかに記載の即時購買システム。
【請求項６】
前記店舗特定手段は、前記ユーザ端末の位置情報に基づいて店舗を特定することを特徴とする請求項１から請求項５のいずれかに記載の即時購買システム。
【請求項７】
前記店舗特定手段は、店舗に設置された通信機器に基づいて店舗を特定することを特徴とする請求項１から請求項５のいずれかに記載の即時購買システム。
【請求項８】
前記決済サーバは、前記決済処理が行われた商品が購入済みであることを前記商品情報管理サーバに通知する通知手段を備え、
前記商品情報管理サーバは、前記決済サーバからの通知により商品が購入済みであることを前記商品ＩＤに対応付けて登録する販売情報登録手段を備える、
ことを特徴とする請求項１から請求項７のいずれかに記載の即時購買システム。
【請求項９】
前記商品情報管理サーバは、
前記問い合わせ手段による問い合わせがあった商品が購入済みである場合は、その旨を通知する購入済み通知手段を更に備えることを特徴とする請求項８に記載の即時購買システム。
【請求項１０】
個々の商品の情報を管理する商品情報管理サーバ及び決済を行う決済サーバと通信接続されたユーザ端末であって、
店舗を特定する店舗特定手段と、
商品に付され、商品を一意に識別する商品ＩＤを読み取るコード読取手段と、
読み取った商品ＩＤが付された商品の価格情報を前記商品情報管理サーバに問い合わせ、取得する問い合わせ手段と、
前記商品の購入依頼を入力する入力手段と、
前記問い合わせ手段により取得した価格情報に基づき、前記入力手段により購入依頼を入力した商品の決済を行う決済手段と、
を備えることを特徴とするユーザ端末。
【請求項１１】
各店舗にて販売する商品の価格情報を管理する店舗情報管理サーバ、決済を行う決済サーバ、及び利用者が所持するユーザ端末と通信接続され個々の商品の情報を管理する商品情報管理サーバであって、
各商品に関する情報を、各商品を一意に識別する商品ＩＤに対応付けて記憶する商品情報記憶手段と、
前記ユーザ端末からの問い合わせに応答して前記店舗情報管理サーバから商品の価格情報を取得し該ユーザ端末に送信する価格情報送信手段と、
を備えることを特徴とする商品情報管理サーバ。
【請求項１２】
個々の商品の情報を管理する商品情報管理サーバと、各店舗にて販売する商品の価格情報を管理する店舗情報管理サーバと、決済を行う決済サーバと、利用者が所持するユーザ端末とが通信接続された即時購買システムにおける即時購買方法であって、
前記商品には、個々の商品を一意に識別する商品ＩＤが付され、
前記ユーザ端末が、 
店舗を特定するステップと、
前記商品に付された商品ＩＤを読み取るステップと、
読み取った商品ＩＤが付された商品の価格情報を前記商品情報管理サーバに問い合わせ、取得するステップと、
前記商品の購入依頼を入力するステップと、
取得した価格情報に基づき購入依頼を入力した商品の決済を行うステップと、を含み、
前記商品情報管理サーバが、
各商品に関する情報を商品ＩＤに対応付けて記憶するステップと、
前記ユーザ端末からの問い合わせに応答して前記店舗情報管理サーバから商品の価格情報を取得し該ユーザ端末に送信するステップと、を含み、
前記店舗情報管理サーバが、
各店舗にて販売する商品の価格情報を記憶するステップと、
前記商品情報管理サーバからの要求に応答して商品の価格情報を送信するステップと、を含み、
前記決済サーバが、
前記ユーザ端末において購入依頼が入力された商品の決済処理を行うステップと、
を含むことを特徴とする即時購買方法。
【請求項１３】
個々の商品の情報を管理する商品情報管理サーバ及び決済を行う決済サーバと通信接続されたコンピュータを、
店舗を特定する店舗特定手段、
商品に付され、商品を一意に識別する商品ＩＤを読み取るコード読取手段、
読み取った商品ＩＤが付された商品の価格情報を前記商品情報管理サーバに問い合わせ、取得する問い合わせ手段、
前記商品の購入依頼を入力する入力手段、
前記問い合わせ手段により取得した価格情報に基づき、前記入力手段により購入依頼を入力した商品の決済を行う決済手段、
として機能させるためのプログラム。
【請求項１４】
各店舗にて販売する商品の価格情報を管理する店舗情報管理サーバ、決済を行う決済サーバ、及び利用者が所持するユーザ端末と通信接続されたコンピュータを、
各商品に関する情報を、各商品を一意に識別する商品ＩＤに対応付けて記憶する商品情報記憶手段、
前記ユーザ端末からの問い合わせに応答して前記店舗情報管理サーバから商品の価格情報を取得し該ユーザ端末に送信する価格情報送信手段、
として機能させるためのプログラム。
【発明の詳細な説明】
【技術分野】
【０００１】
本発明は、即時購買システム、ユーザ端末、商品情報管理サーバ、即時購買方法、及びプログラムに関し、詳細には、購入者自身が所持する端末を用いて店頭の商品を即時に購入可能な即時購買システム等に関する。
【背景技術】
【０００２】
店舗に陳列された商品を購入するには、レジに並び会計を行うのが一般的であった。近年では、人件費の削減等を目的としてセルフレジが導入され、購入者にとっては会計をするためだけに列に並ぶ必要があった。また、店舗側にとってもレジ設備の設置、購入者の動線（スペース確保）、レジスタッフの配置等、負担が大きいものであった。
【０００３】
一方、レジを通さずに店舗に陳列された商品を販売する仕組みが提案されている（特許文献１、２）。特許文献１に記載されるショッピングシステムは、携帯電話を用いて購入商品のＩＣタグから価格情報を読取り、携帯電話に記憶しているバリュー（支払い可能な金額）で支払いを行ってＩＣタグに利用者のＩＤを書込み、店舗の出口に設置された購入確認装置で携帯電話から読み出した利用者ＩＤと購入商品のＩＣタグに書き込まれている利用者ＩＤとを照合して合致する場合に商品を店舗から搬出するゲートを開放するものである。また、特許文献２の販売システムは、商品とタグＩＤと対応付けて記憶する商品情報データベースを備え、通信端末が商品に付されたタグからタグＩＤを読み取って販売サーバに送信すると、販売サーバは受信したタグＩＤに対応付けて記憶されている商品情報を商品情報データベースから読み出し、通信端末に送信し、通信端末では、販売サーバから受信した商品情報（商品名、価格、画像等）を表示して、購入希望数や配達先等を入力し、決済方法を選択して決済を行うものである。
【先行技術文献】
【特許文献】
【０００４】
【特許文献１】特開２０１０−１１３５４０号公報
【特許文献２】特開２０１４−００２４５３号公報
【発明の概要】
【発明が解決しようとする課題】
【０００５】
しかしながら、特許文献１のショッピングシステムは、商品の購入者が店舗から出る際に購入確認装置でＩＣタグに書き込まれた利用者ＩＤを確認する必要があるため、レジに並ぶのと同様に待機列が生じかねないという問題がある。また、特許文献２の販売システムは、商品情報データベースに商品の価格情報が含まれるため店舗毎に販売サーバ（商品情報データベース）を配置して商品情報の管理を行う必要があり、店舗の負担が大きいという問題がある。
【０００６】
本発明は上記の問題に鑑みてなされたものであり、レジに並ばなくても店頭に陳列された商品をその場で購入することが可能な即時購買システム、ユーザ端末、商品情報管理サーバ、即時購買方法、及びプログラムを提供することを目的とする。
【課題を解決するための手段】
【０００７】
前述した課題を解決するための第１の発明は、個々の商品の情報を管理する商品情報管理サーバと、各店舗にて販売する商品の価格情報を管理する店舗情報管理サーバと、決済を行う決済サーバと、利用者が所持するユーザ端末とが通信接続された即時購買システムであって、前記商品には、個々の商品を一意に識別する商品ＩＤが付され、前記ユーザ端末は、店舗を特定する店舗特定手段と、前記商品に付された商品ＩＤを読み取るコード読取手段と、読み取った商品ＩＤが付された商品の価格情報を前記商品情報管理サーバに問い合わせ、取得する問い合わせ手段と、前記商品の購入依頼を入力する入力手段と、前記問い合わせ手段により取得した価格情報に基づき、前記入力手段により購入依頼を入力した商品の決済を行う決済手段と、を備え、前記商品情報管理サーバは、各商品に関する情報を商品ＩＤに対応付けて記憶する商品情報記憶手段と、前記ユーザ端末からの問い合わせに応答して前記店舗情報管理サーバから商品の価格情報を取得し該ユーザ端末に送信する価格情報送信手段と、を備え、前記店舗情報管理サーバは、各店舗にて販売する商品の価格情報を記憶する価格情報記憶手段と、前記商品情報管理サーバからの要求に応答して商品の価格情報を前記価格情報記憶手段から読み出し、送信する送信手段と、を備え、前記決済サーバは、前記ユーザ端末において購入依頼が入力された商品の決済処理を行う決済処理手段、を備えることを特徴とする即時購買システムである。
【０００８】
本発明の即時購買システムによれば、個々の商品を一意に識別する商品ＩＤを商品に関する情報と対応付けて商品情報管理サーバに記憶しておき、購入者がユーザ端末で商品に付された商品ＩＤを読み取ると、ユーザ端末は購入者がいる店舗における当該商品の価格を取得する。また購入者がユーザ端末で購入依頼を入力すると、その商品の決済処理を行う。これにより、購入者はレジに並ばなくても、店舗の商品をその場で購入することができる。商品にはひとつひとつに個別のコードが付与されているため、個々の商品のトレーサビリティが確保できる。また、商品を購入する際にユーザ端末は店舗を特定し、商品の価格を問い合わせるため、その店舗の設定価格で商品を購入できる。
【０００９】
第１の発明において、前記商品ＩＤは、ＧＴＩＮコードと管理番号とを組み合わせた情報であることが望ましい。また、前記商品ＩＤは、ＳＧＴＩＮコードとしてもよい。これにより、商品アイテム毎に決められている識別コードと個々の商品を識別するシリアルコードとを組み合わせて、商品のアイテムを区別しながら更に同じアイテム内でも個々の商品を区別することが可能となる。
【００１０】
また、前記商品の包装に前記商品ＩＤを示すコードが印刷されていることが望ましい。これにより、商品ＩＤが商品に印刷された状態で納品されるため、店舗側では商品に商品ＩＤを付す必要がなく作業負担が軽減される。また、前記商品に貼付するラベルに前記商品ＩＤを示すコードが印刷されていることとしてもよい。これにより、例えば、酒などの瓶の商品に貼付するラベルや鮮魚などのパック商品に貼付するラベルに商品ＩＤを付すことができ、多様な商品に本発明を適用できるようになる。
【００１１】
また、前記店舗特定手段は、前記ユーザ端末の位置情報に基づいて店舗を特定することが望ましい。ユーザ端末のＧＰＳ等で位置情報を取得して店舗を特定できる。また、購入者が意識することなく店舗を特定することができる。或いは、前記店舗特定手段は、店舗に設置された通信機器に基づいて店舗を特定してもよい。これにより、店舗に設置された通信機器を用いてユーザ端末に店舗を特定する情報を送信することができるので、購入者が意識することなく店舗を特定することができ、また、ＧＰＳ機能を持たないユーザ端末であっても店舗を確実に特定できる。また、店舗特定手段は、ユーザによる店舗番号の入力や、店舗番号を変換したコード（ＱＲコード（登録商標）等）の読取りにより店舗を特定してもよい。
【００１２】
また、前記決済サーバは、前記決済処理が行われた商品が購入済みであることを前記商品情報管理サーバに通知する通知手段を備え、前記商品情報管理サーバは、前記決済サーバからの通知により商品が購入済みであることを前記商品ＩＤに対応付けて登録する販売情報登録手段を備えることが望ましい。また、前記商品情報管理サーバは、前記問い合わせ手段による問い合わせがあった商品が購入済みである場合は、その旨を通知する購入済み通知手段を更に備えることが望ましい。これにより販売情報（購入済みであるか否か）が個々の商品ＩＤと対応付けて管理されるため、商品に付された商品ＩＤを読み込むことで簡単に購入されたものであるか否かを確認でき、万引き対策に役立てることができる。個々の商品で異なる商品ＩＤが付されているため、同じ商品ＩＤを繰り返し読み取った場合、操作ミスなのか、複数個購入するのかをシステム上判別することが可能となる。
【００１３】
第２の発明は、個々の商品の情報を管理する商品情報管理サーバ及び決済を行う決済サーバと通信接続されたユーザ端末であって、店舗を特定する店舗特定手段と、商品に付され、商品を一意に識別する商品ＩＤを読み取るコード読取手段と、読み取った商品ＩＤが付された商品の価格情報を前記商品情報管理サーバに問い合わせ、取得する問い合わせ手段と、前記商品の購入依頼を入力する入力手段と、前記問い合わせ手段により取得した価格情報に基づき、前記入力手段により購入依頼を入力した商品の決済を行う決済手段と、を備えることを特徴とするユーザ端末である。
【００１４】
第２の発明により、第１の発明の即時購買システムにおけるユーザ端末を提供できる。
【００１５】
第３の発明は、各店舗にて販売する商品の価格情報を管理する店舗情報管理サーバ、決済を行う決済サーバ、及び利用者が所持するユーザ端末と通信接続され個々の商品の情報を管理する商品情報管理サーバであって、各商品に関する情報を、各商品を一意に識別する商品ＩＤに対応付けて記憶する商品情報記憶手段と、前記ユーザ端末からの問い合わせに応答して前記店舗情報管理サーバから商品の価格情報を取得し該ユーザ端末に送信する価格情報送信手段と、を備えることを特徴とする商品情報管理サーバである。
【００１６】
第３の発明により、第１の発明の即時購買システムにおける商品情報管理サーバを提供できる。
【００１７】
第４の発明は、個々の商品の情報を管理する商品情報管理サーバと、各店舗にて販売する商品の価格情報を管理する店舗情報管理サーバと、決済を行う決済サーバと、利用者が所持するユーザ端末とが通信接続された即時購買システムにおける即時購買方法であって、前記商品には、個々の商品を一意に識別する商品ＩＤが付され、前記ユーザ端末が、店舗を特定するステップと、前記商品に付された商品ＩＤを読み取るステップと、読み取った商品ＩＤが付された商品の価格情報を前記商品情報管理サーバに問い合わせ、取得するステップと、前記商品の購入依頼を入力するステップと、取得した価格情報に基づき購入依頼を入力した商品の決済を行うステップと、を含み、前記商品情報管理サーバが、各商品に関する情報を商品ＩＤに対応付けて記憶するステップと、前記ユーザ端末からの問い合わせに応答して前記店舗情報管理サーバから商品の価格情報を取得し該ユーザ端末に送信するステップと、を含み、前記店舗情報管理サーバが、各店舗にて販売する商品の価格情報を記憶するステップと、前記商品情報管理サーバからの要求に応答して商品の価格情報を送信するステップと、を含み、前記決済サーバが、前記ユーザ端末において購入依頼が入力された商品の決済処理を行うステップと、を含むことを特徴とする即時購買方法である。
【００１８】
第４の発明の即時購買方法によれば、個々の商品を一意に識別する商品ＩＤを商品に関する情報と対応付けて商品情報管理サーバに記憶しておき、購入者がユーザ端末で商品に付された商品ＩＤを読み取ると、ユーザ端末は購入者がいる店舗における当該商品の価格を取得する。また購入者がユーザ端末で購入依頼を入力すると、その商品の決済処理を行う。これにより、購入者はレジに並ばなくても、店舗の商品をその場で購入することができる。また、商品にはひとつひとつに個別のコードが付与されているため、個々の商品のトレーサビリティが確保できる。また、商品を購入する際にユーザ端末は店舗を特定し、商品の価格を問い合わせるため、その店舗が設定した価格で商品を購入できる。
【００１９】
第５の発明は、個々の商品の情報を管理する商品情報管理サーバ及び決済を行う決済サーバと通信接続されたコンピュータを、店舗を特定する店舗特定手段、商品に付され、商品を一意に識別する商品ＩＤを読み取るコード読取手段、読み取った商品ＩＤが付された商品の価格情報を前記商品情報管理サーバに問い合わせ、取得する問い合わせ手段、前記商品の購入依頼を入力する入力手段、前記問い合わせ手段により取得した価格情報に基づき、前記入力手段により購入依頼を入力した商品の決済を行う決済手段、として機能させるためのプログラムである。
【００２０】
第５の発明により、コンピュータを第１及び第２の発明のユーザ端末として機能させることが可能となる。
【００２１】
第６の発明は、各店舗にて販売する商品の価格情報を管理する店舗情報管理サーバ、決済を行う決済サーバ、及び利用者が所持するユーザ端末と通信接続されたコンピュータを、各商品に関する情報を、各商品を一意に識別する商品ＩＤに対応付けて記憶する商品情報記憶手段、前記ユーザ端末からの問い合わせに応答して前記店舗情報管理サーバから商品の価格情報を取得し該ユーザ端末に送信する価格情報送信手段、として機能させるためのプログラムである。
【００２２】
第６の発明により、コンピュータを第１及び第３の発明の商品情報管理サーバとして機能させることが可能となる。
【発明の効果】
【００２３】
本発明により、レジに並ばなくても店頭に陳列された商品をその場で購入することが可能な即時購買システム、ユーザ端末、商品情報管理サーバ、即時購買方法、及びプログラムを提供することが可能となる。
【図面の簡単な説明】
【００２４】
【図１】即時購買システム１のシステム構成を示す図
【図２】商品ＩＤ１１を説明する図
【図３】商品データベース８０の内容を示す図
【図４】店舗情報管理サーバ４に記憶される価格情報４２１の例を示す図
【図５】店舗情報管理サーバ４に記憶される店舗情報４２２の例を示す図
【図６】各サーバ（商品ＩＤ生成サーバ２、商品情報管理サーバ３、店舗情報管理サーバ４、決済サーバ５）のハードウェア構成の例を示す図
【図７】メーカ端末６のハードウェア構成の例を示す図
【図８】ユーザ端末７のハードウェア構成の例を示す図
【図９】商品の製造から販売までの工程を示すフローチャート
【図１０】購入処理を示すフローチャート
【図１１】店舗所在地情報７２１の内容を示す図
【図１２】通信機器情報７２２の内容を示す図
【図１３】ユーザ端末７の表示例を示す図
【図１４】ユーザ端末７の表示例を示す図
【発明を実施するための形態】
【００２５】
以下、図面に基づいて本発明の好適な実施形態について詳細に説明する。
【００２６】
図１は本発明の実施形態に係る即時購買システム１のシステム構成を示す図である。図１に示すように、本発明に係る即時購買システム１は、商品ＩＤ生成サーバ２、商品情報管理サーバ３、店舗情報管理サーバ４、決済サーバ５、メーカ端末６、ユーザ端末７等がネットワーク９を介して接続されて構成される。以下、各構成について説明する。
【００２７】
商品ＩＤ生成サーバ２は、商品（包材）１つ１つを一意に識別する商品ＩＤ（以下、「商品ＩＤ１１」と表記）を生成するサーバである。商品ＩＤ生成サーバ２は、メーカ端末６から商品ＩＤ１１の発行依頼を受けると、商品ＩＤ１１を生成し、生成した商品ＩＤ１１をメーカ端末６に送信する（データ納品する）。
【００２８】
図２は、商品ＩＤ１１の例を示す図である。図２（ａ）に示すように、商品ＩＤ１１は、例えば、ＧＴＩＮ（Global Trade Item Number）コード１１ａと管理番号１１ｂを結合したＩＤである。ＧＴＩＮコード１１ａは、ＧＳ１標準の商品識別コードの総称であり、「どの事業者のどの商品か」を表す。日本ではＪＡＮコード（国際的にはＥＡＮと呼ばれる）が利用されている。ＧＴＩＮコード１１ａは商品群（商品名）ごとに固定の番号である。ＧＴＩＮコード１１ａには、具体的には、以下の４つの種類がある。
・ＪＡＮコード標準タイプ（ＧＴＩＮ−１３）（１３桁）
・ＪＡＮコード短縮タイプ（ＧＴＩＮ−８）（８桁）
・北米地域で利用されるＵ．Ｐ．Ｃ．（ＧＴＩＮ−１２）（１２桁）
・集合包装用商品コード（ＧＴＩＮ−１４）（１４桁）
管理番号１１ｂは、商品（包材）１つ１つを一意に識別する識別番号であり、商品ＩＤ生成サーバ２によって生成されるランダムな番号またはシリアル番号である。
また、商品ＩＤ１１は、ＳＧＴＩＮ（Serialized GTIN）としてもよい。ＳＧＴＩＮは、商品用の個別識別コードであり、ＧＴＩＮコード１１ａにシリアル番号を付加したものである。
【００２９】
商品ＩＤ１１は、図２（ｂ）に示すように、ＱＲコード（登録商標）等のコードに変換され、図２（ｃ）に示すように、商品を充填する包材１０に印刷される。図２（ｂ）、図２（ｃ）は、商品ＩＤ１１をＱＲコード（登録商標）１３に変換し包材１０に印刷する例を示しているが、コードの種類は特に限定されない。例えば、１次元コードまたは２次元コードでもよいし、データバーを多段に重ねたスタック式のコード（例えば、ＧＳ１データバー拡張多層型）でもよいし、ＧＳ１−１２８というコード等でもよい。
【００３０】
また、商品ＩＤ１１をＱＲコード（登録商標）１３等に変換せず、商品ＩＤ１１をそのまま包材１０に印刷してもよい。また、商品ＩＤ１１を包材１０へ印刷するのではなく、商品ＩＤ１１や商品ＩＤ１１を変換したＱＲコード（登録商標）１３を印刷したラベルや、商品ＩＤ１１を記憶領域に記憶したＩＣタグ等を包材１０に貼付するのでもよい。また、商品ＩＤ１１は、商品１つ１つを一意に識別するＩＤであればよく、例えば、ＧＴＩＮコード１１ａを省略し、管理番号１１ｂのみとしてもよい。また、商品ＩＤ１１は、数字である必要はなく、例えば、アルファベット、或いは、数字とアルファベットの組合せ等でもよい。
【００３１】
商品情報管理サーバ３は、商品に関する情報（商品の製造情報と販売情報）をデータベース（以下、「商品データベース８０」と表記）上で管理するクラウドサーバである。後述するように、メーカ端末６によって商品の製造情報が登録され、決済サーバ５からの通知によって商品の販売情報が登録される。
【００３２】
図３は、商品データベース８０の内容を示す図である。図に示すように、商品データベース８０には、登録商品ＩＤ８１（データベースに登録された商品ＩＤ１１）と対応付けて、商品の製造情報８０Ａ及び販売情報８０Ｂが登録される。製造情報８０Ａには、商品が製造された製造工場（製造ライン）８２、製造日時８３、賞味期限（消費期限）８４、メーカ名３１、内容物（商品名）８５等の情報が含まれる。販売情報８０Ｂには、少なくとも商品が購入済みであるか否かの情報である「購入済みフラグ」８９が含まれる。また、販売情報８０Ｂには、販売された店舗（販売店８６）、販売日時８７、購入者８８等の情報が含まれてもよい。このように、商品データベース８０では、商品１つ１つの製造情報８０Ａ及び販売情報８０Ｂが管理され、商品のトレーサビリティが確保される。
【００３３】
店舗情報管理サーバ４は、商品を販売する各店舗における商品の価格情報４２１及び各店舗の店舗情報４２２を管理するクラウドサーバである。店舗情報管理サーバ４の記憶部２２には、価格情報４２１及び店舗情報４２２が記憶されている。
【００３４】
図４は、価格情報４２１の内容を示す図である。図に示すように、価格情報４２１には、各店舗の店舗ＩＤ４２１ａと対応付けて、各店舗で販売される商品のＪＡＮコード４２１ｂ、メーカ名４２１ｅ、商品名４２１ｃ、及び価格情報４２１ｄが登録される。同じ商品であっても店舗によって販売価格は異なるため、各店舗で設定した価格情報４２１が店舗ＩＤ４２１ａと対応づけて記憶される。例えば、ＪＡＮコード「49XXXXXXXXXXX」の「ＸＹＺコーヒー」の価格は、店舗Ａでは「５００円」、店舗Ｂでは「５１５円」のように設定されて記憶されている。なお、店舗情報管理サーバ４の価格情報４２１は、各店舗に設置された端末（不図示）から登録されるものとする。
【００３５】
店舗情報管理サーバ４は、商品情報管理サーバ３から送信される価格情報４２１の問い合わせに応答して、該当する店舗における商品の価格情報を返す。
【００３６】
図５は、店舗情報管理サーバ４に記憶される店舗情報４２２の内容を示す図である。図に示すように、店舗情報４２２には、各店舗の識別情報である店舗ＩＤ４２２ａと対応付けて、店舗名４２２ｂ、住所４２２ｃ、電話番号４２２ｄ、所在地情報（緯度、経度）４２２ｅ等の店舗に関する情報が登録される。店舗情報４２２は、例えば、店舗の特定や後述する電子レシート７４５（図１４）に記述される情報等として利用される。
【００３７】
決済サーバ５は、ユーザ端末７との間で商品の決済処理を行うとともに、決済を行った商品の販売情報（販売店、販売日時、購入者等）を商品情報管理サーバ３に送信し、商品データベース８０に登録する。
【００３８】
図６は、上述した各サーバ（商品ＩＤ生成サーバ２、商品情報管理サーバ３、店舗情報管理サーバ４、決済サーバ５）のハードウェア構成の例を示す図である。図に示すように、各サーバは、例えば、制御部２１、記憶部２２、通信部２３等がバス２９を介して接続されて構成されたコンピュータにより実現できる。但し、これに限ることなく、用途、目的に応じて様々な構成を採ることが可能である。
【００３９】
制御部２１は、ＣＰＵ、ＲＯＭ、ＲＡＭ等から構成される。ＣＰＵは、記憶部２２、ＲＯＭ等の記憶媒体に格納されたプログラムをＲＡＭ上のワークエリアに呼び出して実行する。ＲＯＭは不揮発性メモリであり、ブートプログラムやＢＩＯＳ等のプログラム、データ等を恒久的に保持している。ＲＡＭは揮発性メモリであり、記憶部２２、ＲＯＭ等からロードしたプログラムやデータを一時的に保持するとともに、制御部２１が各種処理を行うために使用するワークエリアを備える。
【００４０】
記憶部２２はハードディスクドライブやソリッドステートドライブ、フラッシュメモリ等であり、制御部２１が実行するプログラム、プログラム実行に必要なデータ、ＯＳ等が格納される。これらのプログラムやデータは、制御部２１により必要に応じて読み出され実行される。通信部２３は、ネットワーク９等を介した通信を媒介する通信インタフェースであり、各サーバや各端末等との間で通信を行う。
【００４１】
メーカ端末６は、食品や飲料等の商品を製造するメーカ（以下、「商品メーカ」と表記）が所有するコンピュータであり、商品の製造情報を商品情報管理サーバ３に送信し、商品データベース８０に登録する。メーカ端末６は、例えば商品の製造工場（製造ライン）に設置されており、製造工場（製造ライン）において包材１０に商品（内容物）が充填されたあと、包材１０に印刷されている商品ＩＤ１１を読み取るとともに、オペレータ等の操作によって商品の製造情報（製造工場（製造ライン）、製造日時、賞味期限（消費期限）、メーカ名、内容物（商品名）等）の入力を受け付ける。そしてメーカ端末６は、商品ＩＤ１１と製造情報（製造工場（製造ライン）、製造日時、賞味期限（消費期限）、メーカ名、内容物（商品名）等）を商品情報管理サーバ３に送信し、商品データベース８０に登録する。
【００４２】
図７は、メーカ端末６のハードウェア構成の例を示す図である。図に示すように、メーカ端末６は、例えば、制御部６１、記憶部６２、表示部６３、入力部６４、通信部６５、コード読取部６６等がバス６９を介して接続されて構成されたコンピュータにより実現できる。但し、これに限ることなく、用途、目的に応じて様々な構成を採ることが可能である。
【００４３】
制御部６１、記憶部６２、通信部６５の機能は、図６で説明した制御部２１、記憶部２２、通信部２３と略同様である。表示部６３は液晶パネル等のディスプレイ装置を有する。入力部６４は、データの入力を行い、例えば、キーボード、マウス等のポインティングデバイス、テンキー等の入力装置を有する。入力部６４を介して、コンピュータに対して、操作指示、動作指示、データ入力等を行うことができる。なお、表示部６３及び入力部６４は、タッチパネルディスプレイのように、一体となっていても良い。コード読取部６６は、商品（包材１０）に印刷された商品ＩＤ１１を読み取る。
【００４４】
ユーザ端末７は、商品の購入者が所持するコンピュータであり、例えば、スマートフォン、タブレット端末、ゲーム機、ノートＰＣ等である。ユーザ端末７は、商品に付された商品ＩＤ１１（ＱＲコード（登録商標）１３）を読み取って商品を購入することができる。ユーザ端末７を用いた購入処理については後述する（図１０）。
【００４５】
図８は、ユーザ端末７のハードウェア構成の例を示す図である。図に示すように、ユーザ端末７は、制御部７１、記憶部７２、通信部７３、表示部７４、入力部７５、カメラ７６等がバス７９を介して接続されて構成される。但し、これに限ることなく、用途、目的に応じて様々な構成を採ることが可能である。
【００４６】
制御部７１、記憶部７２、通信部７３は、図６で説明した制御部２１、記憶部２２、通信部２３と略同様であり、表示部７４、入力部７５は、図７で説明した表示部６３と入力部６４と略同様である。記憶部７２には、即時購買システム１を利用した購入処理を行うための専用のアプリケーション（「即時購入アプリ」）が格納されている。
【００４７】
ネットワーク９は、ＬＡＮ（Local Area Network）や、より広域に通信接続されたＷＡＮ（Wide Area Network）、またはインターネット等の公衆の通信回線、基地局等を含む。ネットワーク９は有線、無線を問わない。
【００４８】
次に、図９のフローチャート参照しながら、商品の製造から販売までの工程の概略を説明する。ここでは説明を簡略化するため、１個の商品を製造する場合について説明する。この工程の中で、商品情報管理サーバ３（商品データベース８０）に商品の製造情報８０Ａと販売情報８０Ｂが登録される。
【００４９】
商品メーカは、商品を製造するに先立ち、まず、当該商品の商品ＩＤ１１を取得する。具体的には、メーカ端末６が、商品ＩＤ１１の発行依頼を、商品ＩＤ生成サーバ２に送信する（ステップＳ１０１）。この際、メーカ端末６は、製造する商品の商品名（商品群）を一意に識別するＪＡＮコード１１ａの情報も送信する。
【００５０】
商品ＩＤ生成サーバ２は、メーカ端末６から商品ＩＤ１１の発行依頼を受信すると、商品ＩＤ１１を生成する（ステップＳ１０２）。例えば、商品ＩＤ生成サーバ２は、ユニークな番号である管理番号１１ｂを生成し、生成した各管理番号１１ｂとメーカ端末６から受信したＧＴＩＮコード１１ａとを結合し、商品ＩＤ１１を生成する（図２（ａ）参照）。そして、商品ＩＤ生成サーバ２は、生成した商品ＩＤ１１を、メーカ端末６に送信しデータ納品する（ステップＳ１０３）。
【００５１】
続いて、商品メーカは、商品ＩＤ１１がデータ納品されると、当該商品ＩＤ１１を商品情報管理サーバ３（商品データベース８０）に登録する。具体的には、メーカ端末６は、商品ＩＤ１１を商品情報管理サーバ３に送信し、商品ＩＤ１１の登録要求を行う（ステップＳ１０４）。商品情報管理サーバ３は、メーカ端末６から商品ＩＤ１１を受信すると、商品データベース８０に新規のレコードを作成し、作成したレコードの登録商品ＩＤ８１（図３参照）のフィールドに商品ＩＤ１１を登録する（ステップＳ１０５）。
【００５２】
なお、商品ＩＤ１１の登録は、商品ＩＤ生成サーバ２が行ってもよい。この場合、商品ＩＤ生成サーバ２は、ステップＳ１０２において商品ＩＤ１１を生成したのち、商品ＩＤ１１を商品情報管理サーバ３に送信し、商品ＩＤ１１の登録要求を行う。そして、商品情報管理サーバ３は、商品ＩＤ生成サーバ２から商品ＩＤ１１を受信すると、商品データベース８０に新規のレコードを作成し、作成したレコードの登録商品ＩＤ８１（図３）のフィールドに商品ＩＤ１１を登録する。
【００５３】
一方、商品メーカは、商品ＩＤ１１がデータ納品されると、包材メーカに当該商品ＩＤ１１が印刷された包材１０の製造を依頼する（ステップＳ１０６）。包材メーカは、商品に応じた所定の形状、デザインの包材１０を製造し（ステップＳ１０７）、更に、包材１０の所定の位置にＱＲコード（登録商標）１３等のコードに変換された商品ＩＤ１１を印刷する（ステップＳ１０８）。これにより、図２（ｃ）に示したように、商品ＩＤ１１（ＱＲコード（登録商標）１３）が印刷された包材１０が製造される。製造された包材１０は、依頼元の商品メーカに納品される（ステップＳ１０９）。
【００５４】
商品メーカは、商品ＩＤ１１が印刷された包材１０が納品されると、包材１０に商品（内容物）を充填するとともに（ステップＳ１１０）、商品の製造情報を商品情報管理サーバ３（商品データベース８０）に登録する（ステップＳ１１１）。具体的には、メーカ端末６が、コード読取部６６により包材１０に印刷された商品ＩＤ１１を読み取るとともに、オペレータ等の操作によって商品の製造情報（製造工場（製造ライン）、製造日時、賞味期限（消費期限）、メーカ名、内容物（商品名））の入力を受け付ける。そして、メーカ端末６は、商品ＩＤ１１とともに、商品の製造情報（製造工場（製造ライン）、製造日時、賞味期限（消費期限）、メーカ名、内容物（商品名））を商品情報管理サーバ３に送信し、製造情報の登録要求を行う。
【００５５】
商品情報管理サーバ３は、メーカ端末６から商品ＩＤ１１と製造情報（製造工場（製造ライン）、製造日時、賞味期限（消費期限）、メーカ名、内容物（商品名））を受信すると、商品データベース８０の登録商品ＩＤ８１（商品ＩＤ１１と一致する登録商品ＩＤ８１）の製造情報８０Ａ（製造工場（製造ライン）８２、製造日時８３、賞味期限（消費期限）８４、メーカ名３１、内容物（商品名）８５）のフィールドに、受信した製造情報（製造工場（製造ライン）、製造日時、賞味期限（消費期限）、メーカ名、内容物（商品名））を登録する（ステップＳ１１２）。
【００５６】
例えば、メーカ端末６から商品ＩＤ１１「49XXXXXXXXXXXYYYYYYY」と、製造情報として、製造工場「Ａ工場」、製造日時「2018/2/13 15:00」、賞味期限「2018/4/13 15:00」、メーカ名「〇〇珈琲（株）」、内容物「ＸＹＺコーヒー」を受信した場合、商品情報管理サーバ３は、図３に示すように、該当する登録商品ＩＤ８１「49XXXXXXXXXXXYYYYYYY」の製造工場（製造ライン）８２のフィールドに「Ａ工場」、製造日時８３のフィールドに「2018/2/13 15:00」、賞味期限（消費期限）８４のフィールドに「2018/4/13
15:00」、メーカ名３１のフィールドに「〇〇珈琲（株）」、内容物（商品名）８５のフィールドに「ＸＹＺコーヒー」を登録する。
【００５７】
そして商品メーカは、商品情報管理サーバ３（商品データベース８０）に製造情報の登録を行うと、製造した商品を出荷し、直接または卸売業者を介して店舗（小売店）へ納品する（ステップＳ１１３）。
【００５８】
店舗は、納品された商品を売り場に展開し、最終消費者（ユーザ）に販売する。店舗での販売は、後述するユーザ端末７を用いた購入処理により行われるものとする。購入処理の詳細については後述するが、ユーザ端末７は商品に付されたＱＲコード（登録商標）１３をカメラ７６にて読取り、当該商品ＩＤ１１の商品について決済サーバ５との間で決済処理を行う。決済処理による支払いが完了すると、決済サーバ５は、購入された商品の商品ＩＤ１１と販売情報（販売店、販売日時、購入者）を商品情報管理サーバ３に送信し、販売情報の登録要求を行う（ステップＳ１１４）。
【００５９】
商品情報管理サーバ３は、決済サーバ５から商品ＩＤ１１と販売情報（販売店、販売日時、購入者）を受信すると、商品データベース８０の該当する登録商品ＩＤ８１（商品ＩＤ１１と一致する登録商品ＩＤ８１）を検索し、検索された登録商品ＩＤ８１の販売情報８０Ｂ（販売店８６、販売日時８７、購入者８８）のフィールドに、受信した販売情報（販売店、販売日時、購入者８８）を登録する（ステップＳ１１５）。また、商品情報管理サーバ３は、販売情報８０Ｂを登録した商品ＩＤ８１の購入済みフラグ８９を「購入済み」に設定する。
【００６０】
例えば、決済サーバ５から商品ＩＤ１１「49XXXXXXXXXXXYYYYYYY」と、販売情報として、販売店「Ａスーパー」、販売日時「2018/3/15 17:35」を受信した場合、商品情報管理サーバ３は、図３に示すように、該当する登録商品ＩＤ「49XXXXXXXXXXXYYYYYYY」の販売店８６のフィールドに「Ａスーパー」、販売日時８７のフィールドに「2018/3/15 17:35」、購入者８８のフィールドに「0001」（購入者のユーザＩＤ）を登録する。購入済みフラグ８９のフィールドに「購入済み」の旨がセットされる。
【００６１】
以上、商品の製造から販売まで工程の概略を説明した。なお、上述の説明では、商品ＩＤ１１を生成しデータ納品した段階（ステップＳ１０５）で商品ＩＤ１１を商品データベース３０に登録し、かつ、包材に商品を充填後、商品ＩＤ１１と製造情報を送信して商品データベース８０に登録する（ステップＳ１１２）流れとしたが、これに限定せず、商品データベース８０への商品ＩＤ１１の登録はステップＳ１１２の段階だけ（ステップＳ１０５では登録しない）としてもよい。ステップＳ１０５で商品ＩＤ１１を登録し、ステップＳ１０８で包材に印刷、ステップＳ１１０で商品を充填すると、それぞれの工程でロス（廃棄）が出ることがあり商品ＩＤの欠損が発生する。ステップＳ１０５で登録された商品ＩＤ１１は、ロスのため製造情報等が登録されないＩＤも生じてしまう。しかし、ステップＳ１１２の段階（商品充填後）でのみ商品データベース３０に商品ＩＤと製造情報とを登録すれば、不要な情報の登録を防ぐことができる。
【００６２】
次に、図１０のフローチャートを参照しながら、商品の購入者が、自身のユーザ端末７を用いて、商品の購入（決済）を行う処理である購入処理について説明する。なお、購入者が所持するユーザ端末７には、購入処理を実行するための専用のアプリケーション（以下、「即時購入アプリ」と表記）がインストールされているものとする。
【００６３】
即時購入アプリは、ユーザ端末７のカメラ７６により商品ＩＤ１１を読み取る機能、購入者（ユーザ端末７）がいる店舗を特定する機能、読み取った商品ＩＤ１１の価格を商品情報管理サーバ３に問い合わせる機能、商品の決済を行う機能等を有する。
【００６４】
まず、購入者はユーザ端末７の即時購入アプリを起動させる（ステップＳ２０１）。すると、即時購入アプリ（制御部７１）は、購入者（ユーザ端末７）がいる店舗を特定する（ステップＳ２０２）。店舗の特定は、例えば、商品陳列棚や店舗出入口等に店舗ＩＤや店舗ＩＤを変換したコード（ＱＲコード（登録商標）等）を掲示しておき、ユーザが店舗ＩＤをユーザ端末７に入力したり、ユーザ端末７でＱＲコード（登録商標）を読み取ることで行うことができる。また、ユーザ端末７のＧＰＳ機能により得られる位置情報を用いて店舗を特定してもよいし、店舗に設置されている通信機器（Wi-Fi、ビーコン等）の識別情報に基づいて行ってもよい。
【００６５】
ＧＰＳ機能を用いて店舗を特定する場合、制御部７１は、ＧＰＳにより得た位置情報（緯度、経度）と店舗情報４２２に予め登録されている店舗の所在地情報（緯度、経度）４２２ｅとを照合することにより、店舗を特定する。具体的には、ユーザ端末７の制御部７１は、ＧＰＳにより位置情報（緯度、経度）を得ると、店舗情報管理サーバ４に位置情報（緯度、経度）を送信し、位置情報（緯度、経度）に対応する店舗の特定を依頼する。店舗情報管理サーバ４は、ユーザ端末７から位置情報（緯度、経度）を取得すると、店舗情報４２２を参照して位置情報（緯度、経度）に対応付けて記憶されている店舗ＩＤ４２２ａまたは店舗名４２２ｂを取得する。なお、店舗の所在地情報（緯度、経度）はユーザ端末７に記憶しておくものとしてもよい。図１１は、ユーザ端末７に記憶される店舗所在地情報７２１の内容を示す図である。店舗所在地情報７２１には、各店舗の識別情報である店舗ＩＤ７２１ａと各店舗の所在地情報（緯度、経度）７２１ｂとが対応付けられている。ユーザ端末７の制御部７１は、店舗所在地情報７２１を参照することにより、ＧＰＳにより得た位置情報（緯度、経度）から店舗ＩＤ７２１ａを取得することができる。
【００６６】
また、店舗に設置されている通信機器（Wi-Fi、ビーコン等）の識別情報に基づいて店舗を特定する場合は、ユーザ端末７は店舗に設置された通信機器から識別情報（通信機器ＩＤ）を取得し、どの通信機器を使用しているかに基づいて店舗を特定する。図１２は、ユーザ端末７に記憶される通信機器情報７２２の内容を示す図である。通信機器情報７２２には、店舗ＩＤ７２２ａと各店舗に設置されている通信機器の通信機器ＩＤ７２２ｂとが対応付けられている。ユーザ端末７は、店舗に設置されている通信機器からの電波（信号）を受信して通信機器ＩＤ７２２ｂを取得し、通信機器情報７２２を参照することにより、通信機器ＩＤ７２２ｂに対応付けられている店舗ＩＤ７２２ａを取得することができる。
【００６７】
なお、店舗所在地情報７２１や通信機器情報７２２は、例えばユーザ端末７が即時購入アプリをダウンロードする際にダウンロードされ、記憶部７２に記憶されるものとする。
【００６８】
次に、ユーザ端末７はカメラ７６を起動し、コード読取画面７４１を表示部７４に表示して購入者による商品ＩＤ１１（ＱＲコード（登録商標）１３）の読取りを待機する。購入者が購入しようとする商品に付されたＱＲコード（登録商標）１３をカメラ７６で撮影すると、ユーザ端末７は、撮影したＱＲコード（登録商標）１３から商品ＩＤ１１を読み取る（ステップＳ２０３）。
【００６９】
図１３（ａ）は、ユーザ端末７に表示されるコード読取画面７４１の一例を示す図である。ユーザ端末７のカメラ７６によりＱＲコード（登録商標）１３を撮影すると、その様子がコード読取画面７４１に表示され、商品ＩＤ１１が読み取られる。
【００７０】
ユーザ端末７は、読み取った商品ＩＤ１１とステップＳ２０２で特定した店舗ＩＤとを商品情報管理サーバ３に送信し、当該商品が購入可能であるか、購入可能な場合は商品の価格を問い合わせる（ステップＳ２０４）。
【００７１】
商品情報管理サーバ３は、ユーザ端末７から商品ＩＤ１１及び店舗ＩＤを受信すると、商品データベース８０の購入済みフラグ８９を参照して、商品ＩＤ１１に該当する商品が「購入済み」であるか否かを確認する（ステップＳ２０５）。「購入済み」である場合（ステップＳ２０５；Ｙｅｓ）は、当該商品は既に購入されているものであるため、エラー通知をユーザ端末７に返す。ユーザ端末７は、商品が購入済みである旨のエラーメッセージを表示する（ステップＳ２０６）。「購入済み」でない場合は（ステップＳ２０５；Ｎｏ）、商品情報管理サーバ３は、受信した店舗ＩＤの店舗における商品ＩＤの価格情報を店舗情報管理サーバ４に問い合わせる（ステップＳ２０７）。
【００７２】
店舗情報管理サーバ４は、価格情報４２１を参照して、店舗ＩＤの店舗における商品ＩＤに該当する商品（ＧＴＩＮコード、図４の例ではＪＡＮコード４２１ｂ）の価格情報４２１ｄを取得し、商品情報管理サーバ３に送信する（ステップＳ２０８）。商品情報管理サーバ３は、店舗情報管理サーバ４から受信した価格情報４２１ｄをユーザ端末７に送信する。
【００７３】
ユーザ端末７は、コードを読み取った商品の価格情報４２１ｄを商品情報管理サーバ３から受信すると（ステップＳ２０９）、表示部７４に表示する。図１３（ｂ）はコードを読み取った商品の商品情報を表示する商品情報表示画面７４２の一例を示す図である。商品情報表示画面７４２には、読み取った商品ＩＤ１１と購入者がいる店舗における当該商品の価格情報５２等が表示される。また、商品データベース８０に商品画像が登録されている場合は、商品ＩＤに対応する商品画像を取得して商品情報表示画面７４２に表示するようにしてもよい。商品情報表示画面７４２には、商品の購入を行わない場合に操作する「キャンセル」ボタン５３及び購入する場合に操作する「購入」ボタン５４が設けられる。「キャンセル」ボタン５３がタッチされた場合は、商品情報の表示が消去され、ステップＳ２０２へ戻る。
【００７４】
「購入」ボタン５４がタッチされた場合は、ユーザ端末７は「購入」が選択された商品を、決済が行われるまで、所定期間、購入リストに保持する。また、ユーザ端末７は、購入画面７４３を表示し、「購入」が選択されている商品のリスト（購入リストの内容）を表示する。
【００７５】
図１３（ｃ）は購入画面７４３の一例を示す図である。購入画面７４３には、購入者のユーザ名５０（予め即時購入アプリに登録されているユーザ名）、購入リストに保持されている商品の商品ＩＤ１１、価格情報５２、及び購入リストの商品の合計額５５が表示される。また、購入画面７４３には、他の商品の買い物を続ける場合に操作する「買い物を続ける」ボタン５６及び決済処理へ進む場合に操作する「決済」ボタン５７が設けられる。「買い物を続ける」ボタン５６がタッチされた場合は（ステップＳ２１０；Ｎｏ）、ステップＳ２０２へ戻る。
【００７６】
個々の商品に対してそれぞれユニークな商品ＩＤ１１が付与されているため、同じ商品アイテムを複数個購入する場合（例えば、「ＸＹＺコーヒー」を３個購入する場合）には、各商品に付されたＱＲコード（登録商標）１３をひとつひとつ読み取る必要がある。従来のＪＡＮコードでは、商品アイテム毎に１つの番号が付与されるため、同じコードを２回読んだ場合は、操作ミスなのか複数個購入するのかをシステム上判別することができないが、本発明のように、個々の商品にそれぞれユニークな商品ＩＤを付与する場合はコード毎に商品を特定することができ、操作ミスで同じものを読み取ってしまったのか、複数個購入するのかを判別可能である。
【００７７】
購入画面７４３において、「決済」ボタン５７がタッチされると（ステップＳ２１０；Ｙｅｓ）、ユーザ端末７は、購入リストに保持されている商品についての決済依頼を決済サーバ５に送信する（ステップＳ２１１）。ステップＳ２１１においてユーザ端末７は、購入しようとする商品の商品ＩＤ１１とユーザ端末７（購入者）のユーザＩＤ、販売店（店舗ＩＤ）、販売日時の情報を決済サーバ５に送信する。
【００７８】
決済サーバ５は、ユーザ端末７から受信した商品ＩＤについて、決済処理を行う（ステップＳ２１２）。決済処理は、クレジットカードやデビットカード、または交通系、流通系等の各種ＩＣカードを利用した電子マネー、WeChat Pay（登録商標）等のスマホ決済を利用可能である。なお、どの方法で決済を行うかを購入時に購入者が選択可能としてもよいし、予め購入者が指定した決済方法（クレジットカード番号等）で決済を行うものとしてもよい。決済サーバ５は決済情報を購入者が指定（選択）した決済機関に通知し、決済処理を実行する。
【００７９】
図１４（ａ）は、決済処理においてユーザ端末７に表示される決済確認画面７４４の一例を示す図である。決済確認画面７４４には、決済サーバ５に送信する決済に必要な情報（ユーザ名５０、決済方法（決済機関）の名称５８、購入店舗（販売店）５９、商品ＩＤ１１、商品名５２、合計額５５等）が表示される。また、決済確認画面７４４には、決済を行わずに前の画面に戻る場合に操作する「戻る」ボタン９１及び支払いへ進む場合に操作する「支払い完了」ボタン９２が設けられる。「支払い完了」ボタン９２がタッチされた場合は、決済サーバ５により決済処理が実行され支払いが完了する。
【００８０】
支払いが完了すると、決済サーバ５は、決済を行った商品の商品ＩＤ１１、販売店、販売日時、購入者の情報とともに購入済み登録依頼を商品情報管理サーバ３に送信する（ステップＳ２１３）。商品情報管理サーバ３は、決済サーバ５から購入済み登録依頼等を受信すると、商品データベース８０の該当する商品ＩＤ１１の購入済みフラグ８９を「購入済み」に更新登録する（ステップＳ２１４）。また、販売情報（販売店８６、販売日時８７、購入者８８）を登録する（ステップＳ２１４）。
【００８１】
商品情報管理サーバ３は、商品データベース８０の購入済みフラグ８９を「購入済み」に設定した商品について、販売情報（販売店８６、販売日時８７、購入者）、商品ＩＤ１１、商品名、価格情報、決済情報（支払い金額や決済機関の情報等）等を購入者のユーザ端末７に送信する（ステップＳ２１５）。ユーザ端末７は、受信した情報に基づいて電子レシート７４５を生成し、表示部７４に表示する（ステップＳ２１６）。電子レシート７４５に販売店の住所、連絡先等を掲載する場合は、店舗ＩＤを店舗情報管理サーバ４に送信して問い合わせ、店舗の住所、連絡先等を取得するようにしてもよい。
【００８２】
図１４（ｂ）は、ユーザ端末７に表示される電子レシート７４５の一例を示す図である。図１４（ｂ）に示すように、電子レシート７４５には、販売店や販売日時、商品ＩＤ、メーカ名、商品名、価格、合計額、決済機関等の情報が記載される。ユーザ端末７で電子レシートを表示することにより、購入者は、購買証明を行うことが可能である。
【００８３】
以上説明したように、本発明の即時購買システム１によれば、個々の商品を一意に識別する商品ＩＤと対応付けて商品の情報を商品データベース８０（商品情報管理サーバ３）に登録し、購入者がユーザ端末７で商品に付された商品ＩＤを読み取り、「購入」（決済処理）を選択すると、その場で当該商品についての決済を行うことが可能となる。これにより、購入者はレジに並ばなくても、店舗の商品をその場で購入することができ、手軽に買い物を済ませることができる。また、商品ＩＤは商品ひとつひとつに個別のコードが付与されているため、商品個々のトレーサビリティが確保できる。例えば、商品が実際に購入されたものである場合には、商品データベース８０（商品情報管理サーバ３）に「購入済み」の旨が記録され、未購入の場合には「購入済み」の記録がない。そのため、商品に付された商品ＩＤを読み込むことで簡単に購入されたものであるか否かを確認でき、万引き対策に役立てることができる。また、商品を購入する際に、ユーザ端末７が店舗を特定して店舗で設定した商品の価格情報を取得できるため、店舗毎に設定した価格で販売できる。また、ユーザ端末７の位置情報や店舗に設置された通信機器の識別情報等に基づいて店舗を特定することができるため、購入者が意識することなく店舗を特定することができる。
【００８４】
なお、上述の実施の形態では、ユーザ端末７にインストールされた専用のアプリケーションを用いて商品を購入する例を説明したが、会員サイト（Ｗｅｂサイト）上で同様の処理を行って商品を購入してもよい。この場合、購入者は、ユーザ端末７に予めインストールされているウェブブラウザを起動し、会員サイトのログインページにアクセスし、予め登録した会員ＩＤ、パスワード等を入力し、会員サイトにログインする。そして、ユーザ端末７のＧＰＳの位置情報や店舗に設置された通信機器の識別情報等に基づいて店舗を特定する。また、ユーザ端末７は、購入した商品の包材に印刷された商品ＩＤ１１をカメラ７６で撮影し、撮影画像及び店舗ＩＤを会員サイトにアップロードし、価格の問い合わせを行う。会員サイトのサーバは商品情報管理サーバ３を介して店舗情報管理サーバ４から商品の価格情報を取得し、ユーザ端末７に送信する。また、ユーザ端末７で注文を確定し、決済依頼を行うと、会員サイトのサーバは決済サーバ５にユーザＩＤ、商品ＩＤ、価格情報、及び店舗ＩＤ等を送信し、決済処理を依頼する。決済サーバ５は、決済処理を行うと、商品情報管理サーバ３（商品データベース８０）に購入済み登録を依頼する。商品情報管理サーバ３は、購入済みフラグ８９を「購入済み」に更新登録し、販売情報を登録し、会員サイトのサーバに通知する。電子レシートは、会員サイトの会員ページで確認できるとともに、予め登録したメールアドレスに送信することで、ユーザ端末７等で確認することができる。
【００８５】
また、対象商品の購入の有無や購入数に応じて、キャンペーンへの応募やポイント還元等のインセンティブを設けてもよい。また、即時購買システム１のシステム構成は、上述の実施形態の例に限定されず、例えば、商品情報管理サーバ３と店舗情報管理サーバ４の機能を１つのサーバで実現してもよい。また、商品購入の手順やユーザ端末７の表示画面例等も一例であり、適宜変更可能である。
【００８６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８７】
１：  即時購買システム
２：  商品ＩＤ生成サーバ
３：  商品情報管理サーバ
４：  店舗情報管理サーバ
５：  決済サーバ
６：  メーカ端末
７：  ユーザ端末
９：  ネットワーク
１０：  包材
１１：  商品ＩＤ
１１ａ：  ＪＡＮコード
１１ｂ：  管理番号
１３：  ＱＲコード（登録商標）
８０：  商品データベース
８０Ａ：  製造情報
８０Ｂ：  販売情報
８９：  購入済みフラグ
５４：  「購入」ボタン
５７：  「決済」ボタン
９２：  「支払い完了」ボタン
４２１：  価格情報
４２２：  店舗情報
７２１：  店舗所在地情報
７２２：  通信機器情報
７４５：  電子レシート
【図１】
2020021419.tif 000003
【図２】
2020021419.tif 000004
【図３】
2020021419.tif 000005
【図４】
2020021419.tif 000006
【図５】
2020021419.tif 000007
【図６】
2020021419.tif 000008
【図７】
2020021419.tif 000009
【図８】
2020021419.tif 000010
【図９】
2020021419.tif 000011
【図１０】
2020021419.tif 000012
【図１１】
2020021419.tif 000013
【図１２】
2020021419.tif 000014
【図１３】
2020021419.tif 000015
【図１４】
2020021419.tif 000016